(57)【要約】【課題】空調装置の風向変更機構において、極めて簡単な構成で、吹き出す風向きを周期的に変えるブレードの風向変更機構と吹き出す空気の遮断機構を一体化させ、施工や保守を容易にする空調装置を提供する。【解決手段】送風されるダクトの細長い開口から空調された空気を風向変更機構によって風向きをかえる空調機において、風向きを変えるブレードの上端に上記ダクトの細長い開口の形状とほぼ同じ形状の空気遮断板を断面ほぼＴ字状に設け、該ブレードを揺動させて風向きを周期的に変えるとともに空気遮断板が前記開口を遮断した時は空気の吹き出しを停止する空調装置の風向変更機構である。【選択図】図２
2004061086.tif 000002
【特許請求の範囲】
【請求項１】
送風されるダクトの細長い開口から空調された空気を風向変更機構によって風向きをかえる空調機において、風向きを変えるブレードの上端に上記ダクトの細長い開口の形状とほぼ同じ形状の空気遮断板を断面ほぼＴ字状に設け、該ブレードを揺動させて風向きを周期的に変えるとともに空気遮断板が前記開口を遮断した時は空気の吹き出しを停止することを特徴とした空調装置の風向変更機構
【発明の詳細な説明】
【０００１】
【発明の属する技術分野】
この発明は、空調装置の風向変更機構、特に、吹き出す風向きを周期的に変えるスウィング機構の技術分野に属する。
【０００２】
【従来の技術】
従来、この種の空調装置の室内に供給する空気を吹き出す風向きを周期的に変えるスイング機構は、特開平１１−１４８７０５号公報に見られるように左右動するモーターを設けてブレードを搖動させるものが知られている。
一方、吹き出す空気を遮断するためには、ダクトの途中に設けたダンパを閉じる等の機構が知られている。
【０００３】
【発明が解決しようとする課題】
ところで、上記従来の風向きを周期的に変えるスイング機構は、専ら風向きを変えるだけで、吹き出す空気を遮断するには別の機構を作動させる必要があり、例えば、吹き出す空気を遮断するには、ダクトの途中に設けたダンパを閉じるためのモーターや長い電気配線等を設けなければならいといった問題点があった。本発明は、上記の課題にに鑑み、空調装置の風向変更機構において、極めて簡単な構成で、吹き出す風向きを周期的に変えるブレードの風向変更機構と吹き出す空気を遮断機構を一体化させ、施工や保守を容易にする空調装置を提供しようとするものである。
【０００４】
【課題を解決するための手段】
本発明は、送風されるダクトの細長い開口から空調された空気を風向変更機構によって風向きをかえる空調機において、風向きを変えるブレードの上端に上記ダクトの細長い開口の形状とほぼ同じ形状の空気遮断板を断面ほぼＴ字状に設け、該ブレードを揺動させて風向きを周期的に変えるとともに空気遮断板が前記開口を遮断した時は空気の吹き出しを停止することを特徴とした空調装置の風向変更機構である。
【０００５】
【発明の実施の形態】
本発明の好適な空調機の風向変更機構の１実施例を図面に沿って説明する。
図１は、天井等に取り付けられた空調機の空気吹出装置１であって、この空気吹出装置１の底面１１は開口状態でほぼ天井Ｆと同位置に配置され、下部の風向調整室１２と上部の空気供給室１３とに区切壁１４によって形成されている。
この区切壁１４には長さ方向に、細長い開口部１５が設けられ空気の上部の空気供給室１３と下部の風向調整室１２とを連通させている。
図１、図２、図４に示すように、風向調整室１２に風向変更機構２が設けられているが、この風向変更機構２は、後述するように、板状のブレード２１が揺動軸２２を中心として揺動して風向きが変更され、このブレード２１の上端部２３には前記細長い開口部１５に対応して、ブレード２１に直角で断面ほぼＴ字状の空気遮断板２４が固着されるが、ブレード２１が直立した状態では開口部１５をほぼ水平の空気遮断板２４で塞ぐ状態となり、この状態では空気遮断板２４が開口部１５を全閉状態とするように構成されている。
すなわち、ブレード２１に固着した空気遮断板２４が、通常ダクトの途中に設けるダンパ機構と同様の空気遮断機構として動作する。
【０００６】
空気吹出装置１の長さ方向の一端（図１（ａ）において右側）には、風向変更機構２を制御する制御室３が設けられ、駆動モータ３１を制御する制御基板３２が設けられ、この駆動モータ３１の回転軸には円盤状の回転アーム３３が設けられ、回転アーム３３の適所の回動軸３３１にはリンク３４の一端の軸受３４１が揺動自在に取り付けられ、リンク３４の他端の軸受３４２はブレード２１の揺動軸２２に直結した揺動アーム３５の適所の回動軸３４２に揺動自在に取り付けられている。
この揺動アーム３５の所定の場所には、図３に示すように、開口部１５が空気遮断板２４によって全閉されたことを検出するための全閉位置スリット３６を設け、これに対応して全閉位置検出センサー３７を枠側の制御室３の壁に設け、反対側の壁に光源（図示せず）が設けてある。したがって、光源の光がスリット３６を通過して全閉位置検出センサー３７に達した時は、ブレード２１が直立した状態であり、空気遮断板２４が開口部１５を全閉の状態である。
なお、前述の全閉位置検出機構としては、光形式ではなく揺動アーム３５の適所に磁石を設け、全閉位置に対応して壁側の固定位置に磁気センサーを設けるような構成や、他の検出機構を用いても良いことは勿論である。
【０００７】
制御基板３２には、図５に示すように、これらの全閉位置検出センサー３７からの信号と、室内の操作者により操作するリモコン４の信号とから、駆動モータ３１の回転と停止位置を制御する。
このように、駆動モータ３１の制御は通常のリモコン４で室内の操作者により行うが、図６に示すように、リモコン４の操作ボタン（４１〜４３）は吹き出す風向きを周期的に変えるスイング状態とするスイングボタン４１と、吹き出しが無い状態とする全閉ボタン４２と、任意の風向きでスイング状態を停止する停止ボタン４３が設けられ、各ボタンの周囲にはそれぞれ、そのボタンを押したことを表示する黄色ＬＥＤ４１１、緑ＬＥＤ４２１、赤ＬＥＤ４３１が設けられており、現在の風向きの方向或いは空気の供給を停止しているかを一目で判るように構成されている。
図５、図６ではワイヤーリモコンであるが、勿論、ワイヤレスリモコンにしてもよい。
【０００８】
次に、上記の構成による作動を説明する。
まず、図２に示すように、空調システムの中央から空調された空気は、ダクト（図示せず）から上部の空気供給室１３に供給され、供給された空気は矢印Ａに示すように、開口部１５に向かう。
ここで、リモコン４のスイングボタン４１を押すと、風向変更機構２は揺動軸２２を中心に回動するが、板状のブレード２１の方向に空気が流れることになるが、板状のブレード２１の揺動軸２２は図３に示すように作動する。
（１）図３（ａ）の状態では、駆動モータ３１の回転軸３３１は矢印Ｘ方向に回転するが、回転軸３３１に回転アーム３３が固着され、回転アーム３３でのリンク３４の係止位置がほぼ最上部であるとき、リンク３４に連結された揺動アーム３５の係止位置も最上部となり、それに従って、板状のブレード２１の傾きも上端を右側に最大の約３３度に傾き、開口部１５から空気遮断板２４が退き全開状態となり、空気の流れは図２の矢印Ｂのように左約３０度の方向に吹き出され、空気の室内への供給も最大となる。
（２）図３（ｂ）の状態では、駆動モータ３１の回転軸３３１は更に矢印Ｘ方向に回転し、板状のブレード２１は垂直状態となり、同時に開口部１５が空気遮断板２４によって全閉され、空気の室内への供給も停止される。
ここで、リモコン４の全閉ボタン４２を押すと、光源の光がスリット３６を通過して全閉位置検出センサー３７に達したこととなり、制御基板３２の回路によって、駆動モータ３１をこの位置で停止するように構成される。
（３）図３（ｃ）の状態では、駆動モータ３１の回転軸３３１は更に矢印Ｘ方向に回転し、板状のブレード２１の傾きも上端を左側に最大の約４９度に傾き、開口部１５から空気遮断板２４が退き全開状態となり、空気の流れは図２の矢印Ｃのように右約４５度の方向に吹き出され、空気の室内への供給も最大となる。
（４）駆動モータ３１の回転軸３３１は矢印Ｘ方向に回転するが、揺動アーム３５は逆方向に回動し、開口部１５が空気遮断板２４によって全閉され、空気の室内への供給も停止される。
（５）以後は、図３（ａ）の状態に復帰し、（１）〜（４）の動作を繰り返すことになり、風向きは周期的に変化することになる。
また、停止ボタン４３を押すと、押した時点で駆動モータ３１を停止させ、その時点での風向きと開口部１５での空気遮断板２４の開度状態に固定するので、操作者の任意の風向きと風量にすることができる。
なお、リモコン４のスイングボタン４１を押すと、同時に駆動モータ３１に電源が投入されるが、通常の初期状態は図３（ｂ）の状態にされている。
【０００９】
本実施例は以上のような構成であるから、極めて簡単な構成で、吹き出す風向きを周期的に変えるブレードの風向変更機構と吹き出す空気の遮断機構を一体化でき、任意の風向と風量を操作者が設定でき、空調機の施工も極めて簡単であり、メンテナンスも容易である。
また、空調された空気の吹き出し速度も、真下の近傍は弱く、斜め方向の遠くには強くでき、室全体としては均一な空調となる。
【００１０】
なお、本発明の特徴を損うものでなければ、上記の実施例に限定されるものでないことは勿論であり、例えば、回転アーム３３や揺動アーム３５はリンク状のものでもよいことは勿論である。
【００１１】
【発明の効果】
以上説明したように、本発明によれば、極めて簡単な構成で、吹き出す風向きを周期的に変えるブレードの風向変更機構と吹き出す空気の遮断機構を一体化でき、任意の風向と風量を操作者が設定でき、空調機の施工も極めて簡単であり、メンテナンスも容易であるという効果が得られる。
また、極めて簡単な構成で、空調された空気の吹き出し速度も、真下の近傍は弱く、斜め方向の遠くには強くでき、室全体としては均一な空調とすることができるという効果も得られる。
【図面の簡単な説明】
【図１】本発明の実施例の空調機を天井に取り付けた場合の図で、図１（ａ）その正面図、図１（ｂ）は底面図、図１（ｃ）は右側面図である。
【図２】実施例の風向変更機構と空気遮断機構の動作を説明する図１の２−２での断面図である。
【図３】実施例の風向変更機構と空気遮断機構の動作を駆動モータとブレードとの関係で説明する作動説明図である。
【図４】本実施例の主要部の斜視図である。
【図５】本実施例の制御係のブロック図である。
【図６】実施例のリモコンの操作部で、図６（ａ）はその正面図、図６（ｂ）はその側面図である。
【符号の説明】
Ａ，Ｂ，Ｃ・・・風向き
Ｆ・・・天井
Ｘ・・・回転方向
１・・・空気吹出装置、１１・・・底面、１２・・・風向調整室、
１３・・・空気供給室、１４・・・区切壁、１５・・・開口部、
２・・・風向変更機構、２１・・・ブレード、２２・・・揺動軸、
２３・・・ブレード２１の上端部、２４・・・空気遮断板（空気遮断機構）、
３・・・制御室、３１・・・駆動モータ、３２・・・制御基板、
３３・・・回転アーム、３３１，３５１・・・軸受、３４・・・リンク、
３４１，３４２・・回動軸、３５・・・揺動アーム、３６・・・全閉位置スリット、
３７・・・全閉位置検出センサー、
４…リモコン、４１・・・スイングボタン、４１１・・・黄色ＬＥＤ、
４２・・・全閉ボタン、４２１・・・緑色ＬＥＤ、
４３・・・停止ボタン、４３１・・・赤色ＬＥＤ
【図１】
2004061086.tif 000003
【図２】
2004061086.tif 000004
【図３】
2004061086.tif 000005
【図４】
2004061086.tif 000006
【図５】
2004061086.tif 000007
【図６】
2004061086.tif 000008